(57)【要約】位相ピットと記録層を設けたＲＯＭ−ＲＡＭ同時再生可能な記憶媒体を使用して、多重記録、同時再生を行う。コンカレントＲＯＭ／ＲＡＭ記録媒体（３）を使用して、ＲＯＭ（８）を再生しながら、ＲＡＭ（９）に記録する際に、ＲＯＭ（８）の記録開始、終了信号（８６、８９）を使用して、ＲＡＭ（９）への記録開始、終了を制御する。このため、ＲＯＭ（８）のコンテンツに対するＲＡＭ（９）のコンテンツ記録位置を均一にでき、時間ずれを制御でき、バーチャルセッション機能と多重記録機能とを手軽に安価に実現することが可能となる。
2004023475.tif 000002
【特許請求の範囲】
【請求項１】
第１のコンテンツ情報を、光反射率変化を利用した位相ピットで記録した基板と、
前記基板上に設けられ、光により記録及び再生可能な記録層とを有し、
前記第１のコンテンツ情報が記録されたコンテンツ記録エリアの前後に、前記第１のコンテンツの再生にともない前記記録層に記録される第２のコンテンツの記録タイミングを制御する情報を前記位相ピットで形成したバッファエリアを設けたことを
特徴とする多重記録媒体。
【請求項２】
前記記録層が光磁気記録膜で構成されることを
特徴とする請求の範囲１の多重記録媒体。
【請求項３】
前記バッファエリアに形成されるタイミング情報が、前記第２のコンテンツの記録開始及び記録終了のための信号からなることを
特徴とする請求の範囲１の多重記録媒体。
【請求項４】
前記バッファエリアに形成されるタイミング情報が、前記第１のコンテンツ情報の再生開始までの時間を示す信号からなることを
特徴とする請求の範囲３の多重記録媒体。
【請求項５】
前記バッファエリアに形成されるタイミング情報が、前記第２のコンテンツ情報の時間的なタイミングを示す信号からなることを
特徴とする請求の範囲３の多重記録媒体。
【請求項６】
前記位相ピットで形成された前記第１のコンテンツ情報が、デジタルオーディオ信号に変換された音楽情報であることを
特徴とする請求の範囲１の多重記録媒体。
【請求項７】
第１のコンテンツ情報を、光反射率変化を利用した位相ピットで記録した基板に、光により記録及び再生可能な記録層を設けた多重記録媒体に、光を照射し、前記位相ピットの情報と前記記録層の情報を分離して、検出する光ピックアップと、
前記照射光とともに、前記記録層に情報を記録するための磁気記録ヘッドと、
前記第１のコンテンツ情報の再生にともない入力される第２のコンテンツ情報を、前記第１のコンテンツ情報に付加された記録タイミング情報に従い、前記記録層に記録し、且つピックアップから前記位相ピットの前記第１のコンテンツ情報と前記記録層の前記第２のコンテンツ情報を再生するコントローラと、
前記再生された前記第１及び第２のコンテンツ情報の少なくとも一方を遅延して、合成出力する出力機構とを設けたことを
特徴とする記録再生装置。
【請求項８】
前記コントローラは、前記付加された記録タイミング情報である前記第２のコンテンツの記録開始及び記録終了のための信号を、前記位相ピットの情報から検出して、前記第２のコンテンツ情報の前記記録層への記録開始及び記録終了を制御することを
特徴とする請求の範囲７の記録再生装置。
【請求項９】
前記コントローラは、前記付加された記録タイミング情報に含まれる前記第１のコンテンツ情報の再生開始までの時間を示す信号を再生し、出力することを
特徴とする請求の範囲８の記録再生装置。
【請求項１０】
前記コントローラは、前記付加されたタイミング情報に含まれる前記第２のコンテンツ情報の時間的なタイミングを示す信号に応じて、前記記録する第２のコンテンツ情報に時間情報を付加することを
特徴とする請求の範囲８の記録再生装置。
【請求項１１】
前記コントローラは、前記位相ピット情報の前記タイミング信号と、前記記録層の第２のコンテンツ情報に付加された前記時間情報を比較して、前記合成出力機構の前記遅延量を制御することを
特徴とする請求の範囲１０の記録再生装置。
【請求項１２】
前記合成出力機構は、前記再生された第１及び第２のコンテンツ情報の出力比を調整する手段を更に有することを
特徴とする請求の範囲７の記録再生装置。
【請求項１３】
前記合成出力機構は、前記再生された第１及び第２のコンテンツ情報の少なくとも一方の波形を調整する手段を更に有することを
特徴とする請求の範囲７の記録再生装置。
【請求項１４】
前記第１及び第２のコンテンツ情報がデジタルオーディオ信号に変換された音楽情報であることを
特徴とする請求の範囲７の記録再生装置。
【請求項１５】
第１のコンテンツ情報を、光反射率変化を利用した位相ピットで記録した基板に、光により記録及び再生可能な記録層を設けた多重記録媒体に、光を照射し、前記位相ピットの前記第１のコンテンツ情報の再生しながら、入力される第２のコンテンツ情報を、前記第１のコンテンツ情報に付加された記録タイミング情報に従い、前記記録層に記録するステップと、
前記位相ピットの前記第１のコンテンツ情報と前記記録層の前記第２のコンテンツ情報を再生し、且つ前記再生された前記第１及び第２のコンテンツ情報の少なくとも一方を遅延して、合成出力するステップとを有することを
特徴とする記録再生方法。
【請求項１６】
前記記録ステップは、前記付加された記録タイミング情報である前記第２のコンテンツの記録開始及び記録終了のための信号を、前記位相ピットの情報から検出して、前記第２のコンテンツ情報の前記記録層への記録開始及び記録終了を制御するステップからなることを
特徴とする請求の範囲１５の記録再生方法。
【請求項１７】
前記記録ステップは、前記付加された記録タイミング情報に含まれる前記第１のコンテンツ情報の再生開始までの時間を示す信号を再生し、出力するステップを更に有することを
特徴とする請求の範囲１６の記録再生方法。
【請求項１８】
前記記録ステップは、前記付加されたタイミング情報に含まれる前記第２のコンテンツ情報の時間的なタイミングを示す信号に応じて、前記記録する第２のコンテンツ情報に時間情報を付加するステップを更に有することを
特徴とする請求の範囲１６の記録再生方法。
【請求項１９】
前記合成出力するステップは、前記位相ピット情報の前記タイミング信号と、前記記録層の第２のコンテンツ情報に付加された前記時間情報を比較して、前記合成出力機構の前記遅延量を制御するステップを更に有することを
特徴とする請求の範囲１８の記録再生方法。
【請求項２０】
前記第１及び第２のコンテンツ情報がデジタルオーディオ信号に変換された音楽情報であることを
特徴とする請求の範囲１５の記録再生方法。
【発明の詳細な説明】
【技術分野】  本発明は、基板上に形成された光学位相ピットによるＲＯＭ（Ｒｅａｄ  Ｏｎｌｙ  Ｍｅｍｏｒｙ）と記録膜によるＲＡＭ（Ｒａｎｄｏｍ  Ａｃｃｅｓｓ  Ｍｅｍｏｒｙ）との両方の機能を持つ記録媒体を利用して、コンテンツの多重記録及び同時再生を行うための多重記録媒体、記録再生装置及び記録再生方法に関し、特に、１つの記録媒体に多重記録しても、同時再生時の違和感を低減するための多重記録媒体、記録再生装置及び記録再生方法に関する。
【背景技術】  音楽を聞く手段として、ＣＤ（Ｃｏｍｐａｃｔ  Ｄｉｓｃ）が一般に広く普及している。また、デジタルオーデイオデータを記録再生する装置として、光磁気媒体を使ったＭＤ（Ｍｉｎｉ  Ｄｉｓｃ）システム等が普及している。ＭＤシステムでは、ＣＤに収められている音楽を、録音再生することが可能である。
このように、従来の音楽の聞き方は、ＣＤのように，予め音楽情報がＲＯＭとして記録された媒体を購入して，それを聞くか、あるいはＭＤ等に好みの音楽を録音して聞くという楽しみ方が一般的である。
もう一つの音楽の楽しみ方は、自分で楽器を演奏することである。楽器の演奏を録音して再生するには、ＭＤ等の録音可能な装置に、外部マイクを取り付けて、演奏を生で録音し、再生する。この場合、自分の演奏のみを単独で録音することになる。
しかしながら、ほとんどの音楽はオーケストラとかバンドのように、様々な楽器が別々のパートを演奏することにより成り立っている。したがって、個々の演奏者が、個人でオーケストラとかバンドのパートを演奏するためにほ、例えば、ＣＤを聞きながら楽器の演奏をする場合には、その演奏を記録するには、別途録音用の装置を準備する必要があった。
さらに、その録音装置を同時に操作しなければならず面倒であった。また、例えば、ＣＤを再生しながら，それに合わせて楽器を演奏し、外部入力マイク等で録音する方法では、ＣＤ再生と演奏の音量バランスの調整が困難であるために、品質の良い音楽を記録することが極めて難しかった。
以上のような音楽記録上の問題点を改善するには、多重録音が行われる。多重録音は、複数の録音トラックをもつ記録媒体のトラック毎に、別々の音楽を記録する。つまり、一つ目のトラックに予め音楽を録音しておき、その音を再生して聞きながら、別のトラックに音を重ねて記録する。
例えば、はじめに、ピアノを録音し、次にそのピアノの音を聴きながらギターを録音することにより、ピアノとギターを同時再生可能となる。このように複数トラックで再生しながら記録する、あるいは複数トラックの音楽を同時再生するためには、高速、大容量な記憶装置が必要であり、主にハードディスクが用いられている。
しかしながら、ハードディスクを利用した多重記録システムは、音楽の製作が目的であるため、高度な編集が必要とされ、且つ複雑な操作が要求される。よって、ハードディスクを使用した多重録音システムは、限られた一部に利用されてはいるが、一般的には普及していない。また、磁気記録媒体は、光ディスクの位相ピットのようなＲＯＭ部がないため，予め音楽を記録しておくためには，１枚毎に音楽を磁気的に記録する必要があり，製造コストが上昇するという問題もある。
ハードディスクに比べて簡単で扱いやすい媒体としてＭＤ（Ｍｉｎｉ  Ｄｉｓｋ）を使用した多重録音システムも実現されている。ＭＤを使うことで媒体は安価となるが，複数トラックに順番に、ユーザーが音楽を記録しなればならないという点はハードディスクを使用した装置と同じである。
又、出荷時に、予め音楽情報を記録するためには、やはりハードディスクの場合と同じように、１枚毎に光磁気記録しなければならず、媒体コストが上昇してしまう。更に、複数トラックにした分だけ、記録容量が低下するという問題もある。よって、従来の記録用ＭＤによる多重録音システムも，一部の専門家に使用されてはいるが、一般的には普及していない。
以上のように、一部の専門家を除けば、これまでの音楽の楽しみ方は、音楽を聴く、楽器を単独で演奏する、単独の演奏を録音再生するの３つに限られていた。
一方、コンカレントＲＯＭ／ＲＡＭ媒体を使用した方式は，一部の専門家に限られていた多重録音、同時再生機能を安価に実現させる可能性を秘めた方法である。
例えば、特開平７−６５３７５号公報においては、ＲＯＭとＲＡＭからなる媒体を使用し、位相ピットによるＲＯＭ部にあらかじめ音楽あるいは画像情報を記録しておき、ＲＯＭに記録された音楽、画像の再生に同期させて、同じ位置に別の音楽あるいは画像情報を，ＲＡＭ部に記録する方法が提案されている。
しかしながら，実際の音楽録音においては，ＲＯＭデータの記録位置と同じ位置に，ＲＡＭデータを記録することは困難である。
第１の理由は、演奏に入るタイミングを掴む手段がないことである。一般に、複数楽器の演奏は、各楽器演奏者が、指揮者等何らかのタイミングカウント手段を利用して、お互いの時間的なタイミングを合わせて、演奏に入る必要がある。ところが、ＲＯＭの音楽、画像を再生しながら、多重録音するには、録音する側では、そのタイミングが掴めず、演奏開始のタイミングが遅れてしまう。
第２の理由は、例えば、媒体のＲＯＭ部を再生して、スピーカから出力される音楽を聴きながら、ギター、ピアノの演奏を行ったり、歌ったりする場合は、音の情報が、スピーカから演奏者あるいは歌い手に届くまでに、どうしても時間遅れが発生してしまう。この遅れはスピーカと演奏者の距離が遠いほど顕著になる。しかも、スピーカ等の音源と演奏者あるいは歌い手との位置関係は、ユーザーが任意に設定するので一定ではない。従って、記録時に、ＲＯＭ部の音楽の位置とＲＡＭ部の記録位置との位置合わせを完全に行うことは困難である。
このことは、音楽に限らず、画像等の他のコンテンツでも、多かれ少なかれ、共通の課題である。このため、ＲＯＭデータと、これに対応するＲＡＭデータとの位置がずれても、位置ずれを制御する、又は、位置ずれがあっても、同時再生を実現する工夫が必要となる。
【発明の開示】
従って、本発明の目的は、これまで一部の専門家に限られていたバーチャルセッション機能と多重記録機能とを安価に実現し、しかも十分な品質で音楽を再生するための多重記録媒体、記録再生装置及び記録再生方法を提供することにある。
又、本発明の他の目的は、ＲＯＭの記録済みコンテンツを再生しながら、これに合わせてＲＡＭにコンテンツを多重記録しても、再生時に、両者のタイミングを同期して合成出力するための多重記録媒体、記録再生装置及び記録再生方法を提供することにある。
更に、本発明の別の目的は、ＲＯＭの記録済みコンテンツを再生しながら、これに合わせて記録タイミングを同期して、ＲＡＭにコンテンツを多重記録するための多重記録媒体、記録再生装置及び記録再生方法を提供することにある。
この目的の達成のため、本発明の多重記録媒体は、第１のコンテンツ情報を、光反射率変化を利用した位相ピットで記録した基板と、前記基板上に設けられ、光により記録及び再生可能な記録層とを有し、前記第１のコンテンツ情報が記録されたコンテンツ記録エリアの前後に、前記第１のコンテンツの再生にともない前記記録層に記録される第２のコンテンツの記録タイミングを制御する情報を前記位相ピットで形成したバッファエリアを設けた。
本発明の多重記録媒体は、好ましくは、前記記録層が光磁気記録膜で構成される。
又、本発明の記録再生装置は、第１のコンテンツ情報を、光反射率変化を利用した位相ピットで記録した基板に、光により記録及び再生可能な記録層を設けた多重記録媒体に、光を照射し、前記位相ピットの情報と前記記録層の情報を分離して、検出する光ピックアップと、前記照射光とともに、前記記録層に情報を記録するための磁気記録ヘッドと、前記第１のコンテンツ情報の再生にともない入力される第２のコンテンツ情報を、前記第１のコンテンツ情報に付加された記録タイミング情報に従い、前記記録層に記録し、且つ光ピックアップから前記位相ピットの前記第１のコンテンツ情報と前記記録層の前記第２のコンテンツ情報を再生するコントローラと、前記再生された前記第１及び第２のコンテンツ情報の少なくとも一方を遅延して、合成出力する出力機構とを設けた。
又、本発明の記録再生方法は、第１のコンテンツ情報を、光反射率変化を利用した位相ピットで記録した基板に、光により記録及び再生可能な記録層を設けた多重記録媒体に、光を照射し、前記位相ピットの前記第１のコンテンツ情報の再生しながら、入力される第２のコンテンツ情報を、前記第１のコンテンツ情報に付加された記録タイミング情報に従い、前記記録層に記録するステップと、前記位相ピットの前記第１のコンテンツ情報と前記記録層の前記第２のコンテンツ情報を再生し、且つ前記再生された前記第１及び第２のコンテンツ情報の少なくとも一方を遅延して、合成出力するステップとを有する。
本発明では、コンカレントＲＯＭ／ＲＡＭ記録媒体を使用して、ＲＯＭを再生しながら、ＲＡＭに記録する際に、ＲＯＭの記録開始、終了信号を使用して、ＲＡＭへの記録開始、終了を制御するため、ＲＯＭのコンテンツに対するＲＡＭのコンテンツ記録位置を均一にでき、時間ずれを制御できる。これにより、これまで一部の専門家に限られていたバーチャルセッション機能と多重記録機能とを手軽に安価に実現することが可能となる。
又、本発明の多重記録媒体では、好ましくは、前記バッファエリアに形成されるタイミング情報が、前記第２のコンテンツの記録開始及び記録終了のための信号からなる。
又、本発明の多重記録媒体では、好ましくは、前記バッファエリアに形成されるタイミング情報が、前記第１のコンテンツ情報の再生開始までの時間を示す信号からなる。
更に、本発明の記録再生装置では、好ましくは、前記コントローラは、前記付加された記録タイミング情報である前記第２のコンテンツの記録開始及び記録終了のための信号を、前記位相ピットの情報から検出して、前記第２のコンテンツ情報の前記記録層への記録開始及び記録終了を制御する。
更に、本発明の記録再生装置では、好ましくは、前記コントローラは、前記付加された記録タイミング情報に含まれる前記第１のコンテンツ情報の再生開始までの時間を示す信号を再生し、出力する。
更に、本発明の記録再生方法では、好ましくは、前記記録ステップは、前記付加された記録タイミング情報である前記第２のコンテンツの記録開始及び記録終了のための信号を、前記位相ピットの情報から検出して、前記第２のコンテンツ情報の前記記録層への記録開始及び記録終了を制御するステップからなる。
更に、本発明の記録再生方法では、好ましくは、前記記録ステップは、前記付加された記録タイミング情報に含まれる前記第１のコンテンツ情報の再生開始までの時間を示す信号を再生し、出力するステップを更に有する。
この本発明の態様では、コンカレントＲＯＭ／ＲＡＭ記録媒体を使用して、ＲＯＭを再生しながら、ＲＡＭに記録する際に、ＲＯＭのタイミング信号を使用して、ＲＡＭへの記録を制御するため、ＲＯＭのコンテンツに対するＲＡＭのコンテンツ記録位置を均一にでき、時間ずれをより制御でき、再生時の同時再生が可能となる。これにより、これまで一部の専門家に限られていたバーチャルセッション機能と多重記録機能とを手軽に安価に実現することが可能となる。
又、本発明の多重記録媒体では、好ましくは、前記バッファエリアに形成されるタイミング情報が、前記第２のコンテンツ情報の時間的なタイミングを示す信号からなる。
又、本発明の記録再生装置では、好ましくは、前記コントローラは、前記付加されたタイミング情報に含まれる前記第２のコンテンツ情報の時間的なタイミングを示す信号に応じて、前記記録する第２のコンテンツ情報に時間情報を付加する。
更に、本発明の記録再生装置では、好ましくは、前記コントローラは、前記位相ピット情報の前記タイミング信号と、前記記録層の第２のコンテンツ情報に付加された前記時間情報を比較して、前記合成出力機構の前記遅延量を制御する。
更に、本発明の記録再生方法では、好ましくは、前記合成出力するステップは、前記位相ピット情報の前記タイミング信号と、前記記録層の第２のコンテンツ情報に付加された前記時間情報を比較して、前記合成出力機構の前記遅延量を制御するステップを更に有する。
本発明のこの態様では、位相ピットに設けられた時間情報で、記録層の記録データの時間情報を付加し、合成時の遅延量を自動制御するため、時間ずれを自動調整できる。
又、本発明の多重記録媒体では、好ましくは、前記位相ピットで形成された前記第１のコンテンツ情報が、デジタルオーディオ信号に変換された音楽情報である。
又、本発明の記録再生装置では、好ましくは、前記合成出力機構は、前記再生された第１及び第２のコンテンツ情報の出力比を調整する手段を更に有する。
又、本発明の記録再生装置では、好ましくは、前記合成出力機構は、前記再生された第１及び第２のコンテンツ情報の少なくとも一方の波形を調整する手段を更に有する。
【図面の簡単な説明】  図１は、本発明の一実施の形態のコンテンツ記録再生システムの構成図である。
図２は、図１のコンテンツ記録再生システムの詳細構成図である。
図３は、図１のシステムに使用される光記録媒体の一例として光磁気ディスクの構成図である。
図４は、図３の構造の光記録媒体におけるＲＯＭ情報とＲＡＭ情報の記録状態を説明する斜視図である。
図５は、図３の光記録媒体の多重記録状態を示す説明図である。
図６は、図５の各コンテンツの位相ピットエリアと光磁気ＲＡＭ記録エリアの関係図である。
図７は、図６の位相ピットエリアの構成図である。
図８は、本発明の記録再生装置の一実施の形態の構成図である。
図９は、図８のメインコントローラにおける再生、記録各モードでのＲＯＭ及びＲＡＭの検出の組合せを示す図である。
図１０は、図８のメインコントローラの第１の実施の形態の構成図である。
図１１は、図８のメインコントローラの第２の実施の形態の構成図である。
図１２は、図１１の構成の動作説明図である。
図１３は、図１１の構成の他の動作説明図である。
【発明を実施するための最良の形態】  以下、本発明の実施の形態を、コンテンツ多重記録再生システム、コンテンツ多重記録媒体、多重記録再生装置、他の実施の形態の順で説明する。尚、以下に、実施の形態では、音楽情報を例として説明するが、コンテンツは、音楽に限られたものではなく、画像等にも適用できる。
［コンテンツ多重記録再生システム］
図１及び図２は、本発明の一実施の形態のコンテンツ多重記録再生システムの構成図である。尚、コンテンツとして、音楽を例に説明する。
最初に、本発明による音楽情報の記録方法を、図１により、説明する。図１において、ギター２Ｂやピアノ２Ｄ等の楽器の演奏により、楽器からは、電気信号に変換された音楽信号が出力される。楽器から出力された音楽信号は、記録再生装置１に入力され、Ａ／Ｄ変換器によりデジタル信号に変換された後に、後述する光磁気記録媒体３に記録される。
このとき、同じ光磁気記録媒体３に、例えば、予め位相ピットとして記録された音楽ＲＯＭ情報が、読み出され、再生され、スピーカ２Ａに出力している。このＲＯＭ情報は、例えば、楽器の演奏パート以外のドラム、ベース、ギター、コーラス、ボーカル等のバンドの演奏でも良いし、あるいはオーケストラの演奏でも良い。または一定間隔のリズムを刻む音でも良い。
いずれにしても、楽器の演奏は、この記録媒体３のＲＯＭに記録された音楽情報を聞きながら、それに合わせて行う。つまり、擬似的に、バンドとかオーケストラのメンバーとなるバーチャルセッションが実現される。そして、この音楽ＲＯＭ情報の再生と同時に，楽器の演奏を，同じ光磁気記録媒体３の光磁気層に記録する。
図１において、ギター２Ｂからの音信号で示したが、記録再生装置１に入力する信号は、ピアノ２Ｄ、ボーカルマイク２Ｃの信号でも構わないし、またそれら楽器の信号を合成したものでも構わない。
この入力信号は、後述するコンカレントＲＯＭ／ＲＡＭ媒体３の光磁気記録膜によるＲＡＭ部に記録される。スピーカ２Ａの出力信号は、媒体３に、ＲＯＭとして予め記録されている音楽情報の再生信号である。このＲＯＭ音楽再生信号はスピーカ、ヘッドフォン等の出力機器２Ａに入力される。
またギター、ピアノ、マイクの出力を別途（図示しない）スピーカ等に出力しても良いし、ＲＯＭ音楽再生信号に合成して、同一スピーカ２Ａで出力しても構わない。更に、図１のスピーカ２Ａが，記録再生装置１に内蔵されていても良い。
本発明の音楽多重録音と同時再生に有効な媒体としては、例えば，後述する図３に示すような、物理的に書き換え不可能な凹凸位相ピット情報の上に光磁気記録層を含む記録膜を形成した媒体３である。
このような媒体３を用いると、ＲＯＭ信号の上にＲＡＭ信号を重畳記録できるうえ、ＲＯＭを同時再生できるという特徴を活かせる。また、ＲＯＭ，ＲＡＭ信号重畳記録した時に、ＲＯＭ部とＲＡＭ部の記録エリアは，曲毎に，媒体内でほぼ一致するが、より詳細には，位相ピット部に対して前述した理由により光磁気記録データは，時間的にずれた位置方向にずれて記録される。
次に、図２により、本発明によるＲＯＭ音楽とＲＡＭ音楽の同時再生方法を説明する。記録再生装置１には、記録媒体３のＲＯＭに記録された音楽を再生し、聞きながらそれに合わせて演奏し、多重録音をするための機構が設けられている。
即ち、記録再生装置１には、曲名、曲ナンバー等のコンテンツ選択部９６を備えている。さらに、多重録音ボタン９７を押すことにより、後述する方法で、装置が録音体制に入り、コンテンツ再生と時間的にリンクして、多重録音を開始する。
また、スピーカ等の音源２Ａと、演奏者あるいは歌い手の位置関係のために、媒体３のＲＡＭに記録されたデータは、媒体３のＲＯＭに対して，時間遅れ分だけずれて記録される。このずれが，音楽再生上，好ましくないほど大きくずれてしまうケースも考えられる。
そこで、ＲＯＭ信号に，遅延時間調整機能を付加することにより、時間ずれを調整も可能とする。遅延時間は、演奏時の距離に応じてユーザーが、ＲＯＭ遅延時間調整部９１により、任意に調整することができる。又、用途によっては予め遅延時間を固定にしても構わない。
同様に、ＲＡＭ信号に，遅延時間調整機能を付加することにより、時間ずれを調整も可能とする。遅延時間は、演奏時の距離に応じてユーザーが、ＲＡＭ遅延時間調整部９２により、任意に調整することができる。又、用途によっては予め遅延時間を固定にしても構わない。
また，ＲＯＭ情報とＲＡＭ情報は、後述するように、検出方法が異なるために、夫々別に再生増幅することが可能である。ＲＯＭ部とＲＡＭ部の増幅ゲインを別々の調整することにより、バンドとかオーケストラの演奏音量と、新たに追加録音した楽器演奏の音量との比を変更することが可能となる。また、再生波形を調整することにより、楽器演奏の音質を様々に変化させることも可能である。
ＲＯＭ音量調整部９４、ＲＡＭ音量調整部９５は、各々、ＲＯＭ，ＲＡＭの音量をユーザーが調節するために設けられ、ＲＯＭ音質調整部９０、ＲＡＭ音質調整部９３は、各々、ＲＯＭ，ＲＡＭの音質をユーザーが調節するために設けられる。
このように、再生時に、音量比と音質を調整することが可能となるので、総合的にバランスのとれた音楽再生が可能となる。また、楽器毎に割り付けられた複数のトラックではなく、媒体３のＲＯＭ部には、オーケストラとかバンドの演奏が一括して記録されているために、従来のようなマルチトラック記録で要求される複雑な音量、音質調整を必要とせずに、簡単に高品質な音楽を聴くことが可能である。
もちろん，媒体３のＲＯＭ部にシンプルな単一楽器の演奏を記録しておいても構わない。また、音質調整は、使用する楽器に応じて調整方法を最適に変えることも可能である。例えば、ギターの場合は音を歪ませる調整を行っても良い。
［コンテンツ多重記録媒体］
図３は、本発明の一実施の形態におけるコンテンツ記録媒体の説明図、図４は、そのＲＯＭ信号及びＲＡＭ信号の関係図である。
図３以下の説明では、コンテンツ記録媒体として、ＲＯＭ−ＲＡＭ光磁気ディスク（ＭＯ）を例に説明する。図３に示すように、ＩＳＯ規格の光磁気ディスク３は、円盤形状をなしており、最内周に、リードイン領域が、最外周に、リードアウト領域が、その間に、ユーザーエリアが設けられている。
リードイン領域及びリードアウト領域は、ポリカーボネイト基板にデイスクの凹凸により形成された位相ピットで構成されるＲＯＭ情報であり、デイスクの仕様等の情報が記録される。これを読むことにより記録再生の条件を制御している。このＲＯＭ情報となる位相ピットの光学的深さ（ピット深さ）は、再生時の光強度変調が最大になるように設定されている。一般には７０％以上の変調度（平坦部光強度に対する位相ピット部の光強度の変化の割合）に設定されている。
リードイン領域とリードアウト領域の間に光磁気記録膜がスパッタ装置により成膜されているユーザーエリアが設けられている。このユーザーエリアには、ユーザーが自由に情報を記録／再生できる。
このユーザーエリアを、ＲＯＭとＲＡＭとの機能を持たせるための光磁気ディスク４の構造は、図３に示すように、位相ピットを形成した透明（ポリカーボネイト）基板４Ａ上に、窒化珪素、酸化タンタル等を材料とした第１誘電体層４Ｂ、ＴｂＦｅＣｏのような希土類と遷移金属のアモルファス合金からなる光磁気記録層４Ｃ、第１誘電体層４Ｂと同じ材料からなる第２誘電体層４Ｄ、ＡｌＴｉ、Ａｕ等の金属からなる反射層４Ｅおよび紫外線硬化型樹脂を用いた保護コート層４Ｆの構成が一般的である。
図３及び図４に示すように、ＲＯＭ機能は、ディスク３に凸凹に形成した位相ピットＰＰで付与し、ＲＡＭ機能は、光磁気記録層４Ｃで付与する。光磁気記録層４Ｃへの記録は、光磁気記録層４Ｃにレーザ光を加熱し、磁化反転を助け、信号磁界に対応して磁化の方向を反転させて、光磁気信号ＯＭＭの記録を行う。これにより、ＲＡＭ情報の記録が可能である。
光磁気記録層４Ｃの記録情報の読出しは、記録層４Ｃに弱いレーザ光を当てることにより、レーザ光の偏光面が、記録層４Ｃの磁化の向きに応じて極カー効果により変わり、この時の反射光の偏光成分の強弱により、信号の有無を判断する。これにより、ＲＡＭ情報の読出が可能である。この読出しにおいて、反射光は、ＲＯＭを構成する位相ピットＰＰにより変調されるため、ＲＯＭ情報の読出しも同時にできる。
かかる構造の光情報記録媒体において、図４に示すように、ＲＯＭ情報は、平坦な基板上に形成された凸凹による位相ピットＰＰにより固定記録され、ＲＡＭ情報は、位相ピットＰＰ列上に、光磁気記録層にＲＡＭ信号ＭＯとして記録される。
この光記録媒体では、１つの光ピックアップにより、ＲＯＭとＲＡＭの同時再生が可能であり、且つ磁界変調方式の光磁気記録を採用すれば、ＲＡＭへの書込みと、ＲＯＭの再生が同時に可能である。
図５は、図３及び図４の光ディスク媒体の記録状態を示す概念図である。図５のように、記録媒体３内に、複数のコンテンツが予め位相ピットでＲＯＭとして記録されている。この物理的に書き換え不可能な凹凸位相ピット情報の上に形成された光磁気記録層を含む記録膜に、ＲＡＭ情報が記録される。
このような媒体を用いると、図６に示すように、ＲＯＭ信号の上に，ＲＡＭ信号を重畳記録できるうえ、ＲＯＭとＲＡＭを同時再生できるという特徴を活かせる。
図５は、音楽多重録音を、図３及び図４で説明したＲＯＭ、ＲＡＭ信号重畳記録媒体３に行ったときの概念図である。ＲＯＭ部とＲＡＭ部の記録エリアは，曲毎に媒体内でほぼ一致するが、より詳細には，図６のように，位相ピット部８に対して，前述した理由により，光磁気記録データ９は，時間的にずれた位置方向にずれて記録される。
このずれを均一又は調整するため、ＲＯＭの記録エリア（各コンテンツ、例えば、曲）のデータ構造を、図７のように、構成する。即ち、記録エリア８は、コンテンツデータエリア８２の前後に、２つのバッファ領域８０、８４を設けている。ここで、バッファ８０が、コンテンツ８２に対して、時間的に前方向、バッファ８４は、後ろ方向である。
バッファ８０には、記録動作開始命令８６が記録されている。ユーザーが、図２の記録再生装置１の多重録音ボタン９７を押すと、記録開始可能となり、前述のバッファ８０内の記録開始命令８６を受けて、録音状態となる。
また、バッファ８０には、コンテンツ毎に固有のタイミング信号８８が記録されている。このタイミング信号８８は、演奏に入るカウントとして音声として出力する信号である。例えほ、「１」、「２」、「３」、「スタート」の掛け声である。同様に、画面として表示しても構わない。
又は、ＲＡＭ情報に，ＣＤで使用されているＱチャネルコードを付加する場合は、タイミング信号として、付加するタイミングを制御する情報に使用することも可能である。
バッファ８４には、記録動作終了命令を発する信号８９が記録されている。この信号記録位置は、前述した図６に示す遅れ時間に対応して、時間的に後方位置に配置する。この記録動作終了命令８９を受けて、磁気ヘッドへの記録動作が終了する。
［コンテンツ多重記録再生装置］
次に、本発明にかかわるコンテンツ記録再生装置１である光ディスクドライブを説明する。図８は、本発明の一実施の形態の光ディスクドライブの全体ブロック図、図９は、光ディスクドライブの各モードの説明図である。
図８に示すように、モーター１８は、光情報記録媒体（ＭＯディスク）３を回転する。通常、ＭＯディスク３は、リムーバブルな媒体であり、図示しないドライブの挿入口から挿入される。光ピックアップ５は、この光情報記録媒体３を挟むように配置された磁気ヘッド３５と光学ヘッドとを有する。
光ピックアップ５は、ボールネジ送り機構等のトラックアクチュエータ（図示せず）により移動し、光情報記録媒体３の半径方向の任意の位置へアクセスが可能である。又、光学ヘッドのレーザーダイオードＬＤを駆動するＬＤドライバ３１と、光ピックアップ５の磁気ヘッド３５を駆動する磁気ヘッドドライバ３４とが設けられる。
メインコントローラ１５は、アクセス用サーボコントローラとコントローラで構成される。アクセス用サーボコントローラは、光学ヘッドからの出力により、トラックアクチュエータと、モーター１８と、光学ヘッドのフォーカスアクチュエータ１９をサーボ制御する。コントローラは、ＬＤドライバ３１、磁気ヘッドドライバ３４、アクセス用サーボコントローラを稼動させて、情報の記録再生を行う。
光学ヘッドの詳細を、図８で説明する。レーザーダイオードＬＤからの拡散光は、コリメータレンズ４０で平行光となり、偏光ビームスプリッター４１を介して、対物レンズ４６により光情報記録媒体３上にほぼ回折限界まで集光される。
この偏光ビームスプリッター４１に入射する光の一部は、ビームスプリッター４１により反射され、集光レンズ４２を介してＡＰＣ（Ａｕｔｏ  Ｐｏｗｅｒ  Ｃｏｎｔｒｏｌ）デイテクタ４３に集光される。
又、光情報記録媒体３より反射された光は、再び対物レンズ４６を介し、ビームスプリッター４１に再度入射する。ビームスプリッター４１に再度入射した光の一部は、レーザーダイオードＬＤ側へ戻り、残りの光は、ビームスプリッター４１により反射され、偏光ビームスプリッター５６に入射する。
偏光ビームスプリッタ５６に入射された光の一部は、２ビームウオラストンプリズム４４、集光レンズ４５を介し２分割デイテクタ４７に集光される。又、偏光ビームスプリッタ５６に入射された光の他の部分は、集光レンズ５１、円筒面レンズ５２を介して、サーボ検出用４分割デイテクタ５３上に集光される。
ＦＥＳ（Ｆｏｃｕｓ  Ｅｒｒｏｒ  Ｓｉｇｎａｌ）再生回路５４は、光電変換された４分割フォトディテクタ５３の出力Ａ，Ｂ，Ｃ，Ｄにより、非点収差法によるフォーカスエラー検出（ＦＥＳ）を行う。即ち、
ＦＥＳ＝（Ａ＋Ｂ）−（Ｃ＋Ｄ）／（Ａ＋Ｂ＋Ｃ＋Ｄ）
同時に，プッシュプル法によるＴＥＳ生成回路５５で，４分割デイテクタ５３の出力から、トラックエラー検出（ＴＥＳ）を行う。
これらの計算により求められたフォーカスエラー信号（ＦＥＳ）及びトラックエラー信号（ＴＥＳ）は、フォーカス方向及びトラック方向の位置誤差信号として、メインコントローラ１５（詳細には、アクセス用サーボコントローラ）に入力される。
一方、記録情報検出系において、光情報記録媒体３上の光磁気記録の磁化の向きによって変わる反射レーザ光の偏光特性が、光強度に変換される。すなわち、２ビームウォラストン４４において、偏光検波により偏光方向が互いに直交する二つのビームに分離し、集光レンズ４５を通して２分割フォトディテクタ４７に入射し、それぞれ光電変換される。
２分割フォトディテクタ４７で光電変換された２つの電気信号Ｇ，Ｈは、アンプ５７、５８で増幅された後、加算アンプ５９で加算され、第１のＲＯＭ信号（ＲＯＭ１＝Ｇ＋Ｈ）となり、同時に、減算アンプ６０で減算され、ＲＡＭ読みだし（ＭＯ）信号（ＲＡＭ＝Ｇ−Ｈ）となり、それぞれメインコントローラ１５に入力される。
又、メインコントローラ１５には、ＡＰＣ用フォトディテクタ１３に入射した半導体レーザダイオードＬＤの反射光が光電変換され、アンプ６１を通して第２のＲＯＭ信号（ＲＯＭ２）として入力する。
さらに、先に説明したように、メインコントローラ１５には、加算アンプ２９の出力である第１のＲＯＭ信号（ＲＯＭ１）、差動アンプ３０の出力であるＲＡＭ信号（ＲＡＭ）、ＦＥＳ生成回路２３からのフォーカスエラー信号（ＦＥＳ）、ＴＥＳ生成回路２４からのトラックエラー信号（ＴＥＳ）が入力する。
また、メインコントローラ１５には、データ源６６との間でインタフェース回路６８を通して記録用データ及び読出データが入出力される。
メインコントローラ１５に入力される第１のＲＯＭ信号（ＲＯＭ１＝Ｇ＋Ｈ）、第２のＲＯＭ信号（ＲＯＭ２＝Ｉ）及び、ＲＡＭ信号（ＲＡＭ＝Ｇ−Ｈ）は、各モード即ち、ＲＯＭ及びＲＡＭ同時再生時、ＲＯＭ再生及びＲＡＭ同時記録（ＷＲＩＴＥ）時に対応して検出し使用される。
図９は、各モードでの上記ＲＯＭ１（＝Ｇ＋Ｈ）、ＲＯＭ２（＝Ｉ）及び、ＲＡＭ（Ｇ−Ｈ）の検出の組合せを示す図である。メインコントローラ１５は、各モードに応じて、ＬＤドライバ３１にコマンド信号を生成する。ＬＤドライバ３１は、コマンド信号に従い、ＲＯＭ及びＲＡＭ再生時には、第１のＲＯＭ信号（ＲＯＭ１＝Ｇ＋Ｈ）に応じて，半導体レーザダイオードＬＤの発光パワーを負帰還制御し、ＲＡＭ記録時には、第２のＲＯＭ信号（ＲＯＭ２＝Ｉ）に応じて半導体レーザダイオードＬＤの発光パワーを負帰還制御する。
光磁気（ＲＡＭ）記録時は、データソース６６からのデータがインタフェース６８を通してメインコントローラ１５に入力される。メインコントローラ１５は、磁界変調記録方式を用いる場合に、この入力データを、磁気ヘッドドライバ３４に供給する。磁気ヘッドドライバ３４は、磁気ヘッド３５を駆動し、記録データに対応して磁界を変調する。
この際、メインコントローラ１５において、記録時を指示する信号がＬＤドライバ３１に送られ、ＬＤドライバ３１は第２のＲＯＭ信号（ＲＯＭ２＝Ｉ）に応じて、記録に最適なレーザーパワーになるように半導体レーザダイオードＬＤの発光を負帰還制御する。
又、光変調記録方式を用いる場合に、この入力データを、ＬＤドライバ３１に送り、レーザダイオードＬＤを光変調駆動する。この際、メインコントローラ１５において、記録時を指示する信号がＬＤドライバ３１に送られ、ＬＤドライバ３１は第２のＲＯＭ信号（ＲＯＭ２＝Ｉ）に応じて、記録に最適なレーザーパワーになるように半導体レーザダイオードＬＤの発光を負帰還制御する。
又、メインコントローラ１５（詳細には、そのサーボコントローラ）は、検出したフォーカスエラー信号ＦＥＳに応じて、フォーカスアクチュエータ１９を駆動し、光ビームを合焦点制御する。メインコントローラ１５（詳細には、そのサーボコントローラ）は、検出したトラックエラー信号ＴＥＳに応じて、トラックアクチュエータを駆動し、光ビームをシーク及びトラック追従制御する。
ここで、レーザーパワー調整には、デイテクタ４７のＧ＋Ｈ（ＲＯＭ１）またはデイテクタ４３のＩ（ＲＯＭ２）の信号を用いる。図９に示すように、ＲＯＭ信号とＲＡＭ信号を同時に再生する場合には、ＲＡＭ読出し信号（＝Ｇ−Ｈ）が、光情報記録媒体３の位相ピット変調からのクロストークを受けないように、Ｇ＋Ｈの信号が一定となるようにレーザーパワーを制御する。光変調記録時には、ＲＯＭの検出は行わない。
図８及び図９に示した記録再生装置１は、ＲＯＭおよびＲＡＭの情報を読み出す光ピックアップとＲＡＭに情報を記録するための磁気ヘッドが備えられた構成を持つ。この構成では、ＲＯＭを再生しながらＲＡＭ信号を再生することができる。
又、ＲＯＭ１信号をレーザー駆動部に負帰還させることにより、記録媒体のＲＯＭ部の凹凸によるＲＡＭ信号への強度変調ノイズを低減できるため、ＲＡＭ信号が正確に検出できる。このとき、ＲＯＭ信号は、ＲＯＭ２より検知できる。光ピックアップはボールネジの送り機構によるシーク機構により記録媒体の任意の半径位置へアクセスできる。このため、ＲＯＭに記録されたコンテンツおよびＲＡＭに記録されたコンテンツへ、任意にアクセスできる。
図１０は、図８のメインコントローラ１５の第１の実施の形態のブロック図である。メインコントローラ１５に、アンプ６１を通して第２のＲＯＭ信号（ＲＯＭ２）と、加算アンプ５９の出力である第１のＲＯＭ信号（ＲＯＭ１）、差動アンプ６０の出力であるＲＡＭ信号（ＲＡＭ）、ＦＥＳ生成回路５４からのフォーカスエラー信号（ＦＥＳ）、ＴＥＳ生成回路５５からのトラックエラー信号（ＴＥＳ）とが入力する。
また、データ源６６との間でＡＤ変換器を含むインターフェース回路６８を通して、デジタルオーディオ信号に変換された記録用データが入力される。
メインコントローラ１５において、ＲＯＭ情報とＲＡＭ情報の同時再生時のＲＡＭ情報である差動アンプ６０の出力は、同期検出回路１５７に同期検出され、復調器１５８でＮＲＺＩ変調等に対応した復調が行われ、復号器１５６により復号され，デジタルオーディオのＲＡＭ信号として出力される。
一方，ＲＯＭ／ＲＡＭ同時再生では、ＲＯＭ信号はＲＯＭ２を利用する。ＲＯＭ２信号も，ＲＡＭ信号と同様に、同期検出回路１５４で同期検出され、復調器１５５と復号器１５６により、デジタルオーディオ信号に変換され、ＲＯＭデータとして出力される。
ここで，ＲＡＭ信号は、前述したように、時間的に遅れて出力されるので、遅延器１７０により、必要に応じてＲＯＭ信号の時間遅れの調整を行う。この遅れ時間は、前述のように、ユーザーが任意に調整しても構わない。又、ＲＡＭ信号も同様に、遅延器１７２で、必要に応じ時間遅延する。
出力されたＲＯＭ信号とＲＡＭ信号は，各々Ｄ／Ａ変換器１７４，１７６によって，アナログの音楽信号に変換された後に、それぞれ音量、音質調整回路１７８、１８０に入力され、図２の調整部の指示で、ユーザによる調整を施される。その後に、合成器１８２で合成され、スピーカ、ヘッドフォン２Ａ等へ音楽として出力される。
このようにして、ＲＯＭの音楽とＲＡＭの音楽が同時再生され、合成出力される。記録時の時間のずれは、遅延器１７０、１７２で調整される。
次に、ＲＯＭ再生、ＲＡＭ記録時においては、図９に示すように、ＲＯＭ１信号を再生ＲＯＭ信号として使用する。スイッチＳＷ２の切り換えで、ＲＯＭ１信号が，ローパスフィルタ１６０を介し、同期検出回路１５４で同期検出され、復調器１５５と復号器１５６により、デジタルオーディオ信号に変換され、ＲＯＭデータとして出力される。
そして、ＲＯＭデータは、遅延器１７０を介しＤ／Ａ変換器１７４によって，アナログの音楽信号に変換された後に、音量、音質調整回路１７８に入力され、図２の調整部の指示で、ユーザによる調整を施される。その後に、合成器１８２で合成され、スピーカ、ヘッドフォン２Ａ等へ音楽として出力される。
この音楽を聴きながら、ＲＡＭへギター等の音楽、音声を記録するため、先ず、前述した多重記録スイッチ９７で、入力スイッチ１６２がオンする。又、前述のＲＯＭエリア８のバッファ８０の開始命令が、スタート／ストップ検出回路１６１で、検出され、ゲート１６３が開く。
これにより、ギター２Ｂ、ピアノ２Ｄから出力されたアナログ音楽信号あるいはマイク２Ｃから出力された音声信号が，Ａ／Ｄ変換器６８によりデジタル信号に変換され、符号器１５１によりエラー訂正の符号化等が行われた後に、変調器１５１によりＥＦＭ，ＮＲＺＩ等の信号に変換され、磁気ヘッドコントローラ１５２から磁気ヘッド３５を駆動し、記録媒体３のＲＡＭ部９に記録される。
このように、ＲＯＭエリア８のバッファ８０の開始命令で、ＲＡＭへの入力が可能となり、終了命令で記録が終了するため、ＲＯＭのコンテンツと、ＲＡＭのコンテンツとの記録位置関係が均一となる。
又、前述の図７で説明したように、ＲＯＭエリア８のバッファ８０のタイミング信号による掛け声や画像で、ＲＯＭデータの再生タイミングを知ることができ、演奏者が、演奏開始をＲＯＭ音楽と同期して行うことができる。このため、バーチャルセッション機能と多重記録機能の効果を向上できる。
図１１は、図８のメインコントローラ１５の第２の実施の形態のブロック図，図１２は、その説明図である。図１１において、図１０で示したものと同一のものは、同一の記号で示してある。
即ち、メインコントローラ１５に、アンプ６１を通して第２のＲＯＭ信号（ＲＯＭ２）と、加算アンプ５９の出力である第１のＲＯＭ信号（ＲＯＭ１）、差動アンプ６０の出力であるＲＡＭ信号（ＲＡＭ）、ＦＥＳ生成回路５４からのフォーカスエラー信号（ＦＥＳ）、ＴＥＳ生成回路５５からのトラックエラー信号（ＴＥＳ）とが入力する。
また、データ源６６との間でＡＤ変換器を含むインターフェース回路６８を通して、デジタルオーディオ信号に変換された記録用データが入力される。
メインコントローラ１５において、ＲＯＭ情報とＲＡＭ情報の同時再生時のＲＡＭ情報である差動アンプ６０の出力は、同期検出回路１５７に同期検出され、復調器１５８でＮＲＺＩ変調等に対応した復調が行われ、復号器１５６により復号され，デジタルオーディオのＲＡＭ信号として出力される。
一方，ＲＯＭ／ＲＡＭ同時再生では、ＲＯＭ信号はＲＯＭ２を利用する。ＲＯＭ２信号も，ＲＡＭ信号と同様に、同期検出回路１５４で同期検出され、復調器１５５と復号器１５６により、デジタルオーディオ信号に変換され、ＲＯＭデータとして出力される。
図１２に示すように、ＲＯＭ８に、コンテンツ８２に対し、時間情報を含むＱチャネル情報が記録され、同様に、ＲＡＭ９に、時間情報を含むＱチャネル情報が記録されている。Ｑチャネル比較器１６４は、ＲＡＭ信号に付加された時間情報を含むＱチャネル出力と、ＲＯＭに予め記録されているＱチャネル出力を比較して、遅延器１７０、１７２で、図１２に示すように、ＲＯＭデータ８２とＲＡＭデータの再生出力タイミングを自動調整する。
次に、ＲＯＭ再生、ＲＡＭ記録時においては、図９に示すように、ＲＯＭ１信号を再生ＲＯＭ信号として使用する。スイッチＳＷ２の切り換えで、ＲＯＭ１信号が，ローパスフィルタ１６０を介し、同期検出回路１５４で同期検出され、復調器１５５と復号器１５６により、デジタルオーディオ信号に変換され、ＲＯＭデータとして出力される。
そして、ＲＯＭデータは、遅延器１７０を介しＤ／Ａ変換器１７４によって，アナログの音楽信号に変換された後に、音量、音質調整回路１７８に入力され、図２の調整部の指示で、ユーザによる調整を施される。その後に、合成器１８２で合成され、スピーカ、ヘッドフォン２Ａ等へ音楽として出力される。
この音楽を聴きながら、ＲＡＭへギター等の音楽、音声を記録するため、先ず、前述した多重記録スイッチ９７で、入力スイッチ１６２がオンする。又、前述のＲＯＭエリア８のバッファ８０の開始命令が、スタート／ストップ検出回路１６１で、検出され、ゲート１６３が開く。
これにより、ギター２Ｂ、ピアノ２Ｄから出力されたアナログ音楽信号あるいはマイク２Ｃから出力された音声信号が，Ａ／Ｄ変換器６８によりデジタル信号に変換される。そして、符号器１５１によりエラー訂正の符号化等が行われ，且つＲＯＭ１のタイミング信号としてのＱチャネル付加指示により、時間情報を含むＱチャネル情報を付加した後に、変調器１５１によりＥＦＭ，ＮＲＺＩ等の信号に変換され、磁気ヘッドコントローラ１５２から磁気ヘッド３５を駆動し、記録媒体３のＲＡＭ部９に記録される。
このように、ＲＯＭエリア８のバッファ８０の開始命令で、ＲＡＭへの入力が可能となり、終了命令で記録が終了するため、図１２に示すように、ＲＯＭのコンテンツと、ＲＡＭのコンテンツとの記録位置関係が均一となる。
又、前述の図７で説明したように、ＲＯＭエリア８のバッファ８０のタイミング信号によるＱチャネル付加制御により、ＲＯＭデータ８２の再生タイミングと、ＲＡＭデータの記録タイミングを同期でき、再生時に、Ｑチャネル比較によるＲＡＭ演奏データ（図１２の斜線部分）の再生出力をＲＯＭ音楽の再生出力と時間的に一致して行うことができる。このため、バーチャルセッション機能と多重記録機能の効果を向上できる。
図１３は、本発明の他のタイミング調整動作の説明図である。この実施の形態では、図１１の構成において、Ｑチャネル比較器１６４が、ＲＯＭ８のバッファ８０に記録された録音タイミング遅れ時間ΔＴを抽出回路に置き換えたものである。
図１３に示すように、ＲＯＭ８のバッファ８０に記録された録音タイミング遅れ時間ΔＴを抽出し、その値に従い、遅延器１７０の遅延量を調整し、図１２と同様に、再生時に、ＲＡＭ演奏データ（図１２の斜線部分）の再生出力をＲＯＭ音楽の再生出力と時間的に一致して行うことができる。このため、バーチャルセッション機能と多重記録機能の効果を向上できる。
［他の実施の形態］
以上、本発明を実施の形態により説明したが、本発明の趣旨の範囲内において、本発明は、種々の変形が可能であり、これらを本発明の技術的範囲から排除するものではない。
例えば、コンテンツとして、ＲＯＭに画像、ＲＡＭに音声又は音楽を使用することもでき、同様に、ＲＯＭに音楽又は音声を、ＲＡＭに画像を使用することもできる。又、ＲＯＭ，ＲＡＭとも画像を使用できる。
更に、光磁気記録膜は、他の光記録再生材料を適用できる。同様に、光磁気記録媒体は、円盤形状に限らず、カード形状等を採用しうる。更に、ＲＡＭのみの再生時にも、同様に適用できる。
【産業上の利用可能性】  コンカレントＲＯＭ／ＲＡＭ記録媒体を使用して、ＲＯＭを再生しながら、ＲＡＭに記録する際に、ＲＯＭの記録開始、終了信号を使用して、ＲＡＭへの記録開始、終了を制御するため、ＲＯＭのコンテンツに対するＲＡＭのコンテンツ記録位置を均一にでき、時間ずれを制御できる。又、ＲＯＭのタイミング信号を使用して、ＲＡＭへの記録を制御するため、ＲＯＭのコンテンツに対するＲＡＭのコンテンツ記録位置を均一にでき、時間ずれをより制御でき、再生時の同時再生が可能となる。これにより、これまで一部の専門家に限られていたバーチャルセッション機能と多重記録機能とを手軽に安価に実現することが可能となる。
【図１】
2004023475.tif 000003
【図２】
2004023475.tif 000004
【図３】
2004023475.tif 000005
【図４】
2004023475.tif 000006
【図５】
2004023475.tif 000007
【図６】
2004023475.tif 000008
【図７】
2004023475.tif 000009
【図８】
2004023475.tif 000010
【図９】
2004023475.tif 000011
【図１０】
2004023475.tif 000012
【図１１】
2004023475.tif 000013
【図１２】
2004023475.tif 000014
【図１３】
2004023475.tif 000015
【国際調査報告】
2004023475.tif 000016
2004023475.tif 000017